(57)【要約】【課題】投函口の上下がＬＥＤ照明によって、照射されることで、従来のようなまぶしさがなく、投函口の廻りの明るさが確保され、ＬＥＤ照明ユニットを交換することで各種の色合いを現出することが可能となるとともにメンテナンスの簡便な郵便ポストを提供するものである。【解決手段】郵便ポスト本体１とこの郵便ポスト本体１の正面側２のフランジ部３に投函口４を有する前面枠５を挿着し、前面枠５の投函口４の上下に相対向して光が照射するように長尺状のＬＥＤ照明ユニット６，６を装着するものである。【選択図】　　　　図１
2004049587.tif 000002
【特許請求の範囲】
【請求項１】
郵便ポスト本体とこの郵便ポスト本体の正面側のフランジ部に投函口を有する前面枠を挿着する郵便ポストにおいて、該前面枠の投函口の上下に相対向して光が照射するように長尺状のＬＥＤ照明ユニットを装着することを特徴とする郵便ポスト。
【請求項２】
郵便ポスト本体とこの郵便ポスト本体の正面側のフランジ部の上部に投函口、下部にインターホーンや表示板等を設けた前面枠を挿着する郵便ポストにおいて、前面枠の投函口の上部に下方を照射する長尺状のＬＥＤ照明ユニットを装着するとともに前面枠の下端から上方の投函口及びインターホーンや表示板等を照射する長尺状のＬＥＤ照明ユニットを装着することを特徴とする郵便ポスト。
【請求項３】
上記ＬＥＤ照明ユニットが着脱自在に配置され、上部開口のボックスにＬＥＤ照明を複数個配列し、この電源を電池式又は家庭用の引込み線から取ることを特徴とする請求項１又は請求項２記載の郵便ポスト。
【請求項４】
上記ＬＥＤ照明ユニットに明るさセンサーを取付けたことを特徴とする請求項１乃至請求項３記載のいずれか１項記載の郵便ポスト。
【請求項５】
上記前面枠に固着する前面板の材質を乳白色の樹脂で形成することを特徴とする請求項１又は請求項２記載の郵便ポスト。
【発明の詳細な説明】
【０００１】
【発明の属する技術分野】
本発明は、郵便ポスト本体の投函口やインターホーンや表示板等をまぶしくない程度の明るさで照射することができる郵便ポストに関するものである。
【０００２】
【従来の技術】
図７において、特開平２００１−８７１１９号の郵便受箱３０のように、投函口３１の上側に庇部３２を有し、この庇部３２の内部に蛍光灯等の光源３３が配設され、光源３３からの照射光が郵便受箱３０の前面に照射するように設けられたものが開示されている。又、図８のように、前面開口の郵便ポスト本体３４に投函口３１及びアクリル板を照射するための蛍光灯３５を内蔵した前面枠３６を挿着してビス３７で固定する郵便受箱３０は、公知である。尚、３８は、前面枠３６を覆う樹脂製等でできた前面板である。
【０００３】
しかしながら、このような構造では、光源３３として通常は蛍光灯等の照明を用いられるので、夜間に電気の消し忘れや蛍光灯３５の性質によりまぶしくなるという問題があった。又、蛍光灯３５が切れた場合には、蛍光灯３５の取替え作業に手間がかかるという問題があった。又、投函口３１が明るくなりすぎ、電気代が高くつき経済的ではないという問題があった。
【０００４】
【発明が解決しようとする課題】
本発明は上記問題点の解決を目的とするものであり、投函口の上下がＬＥＤ照明によって、照射されることで、従来のようなまぶしさがなく、投函口の廻りの明るさが確保され、ＬＥＤ照明ユニットを交換することで各種の色合いを現出することが可能となるとともにメンテナンスの簡便な郵便ポストを提供するものである。
【０００５】
【課題を解決するための手段】
本発明の請求項１記載の郵便ポストは、郵便ポスト本体とこの郵便ポスト本体の正面側のフランジ部に投函口を有する前面枠を挿着する郵便ポストにおいて、前面枠の投函口の上下に相対向して光が照射するように長尺状のＬＥＤ照明ユニットを装着することを特徴とするものである。
【０００６】
したがって、投函口の上下がＬＥＤ照明によって、照射されることで、従来のようなまぶしさがなく、投函口の廻りの明るさが確保されものである。
【０００７】
本発明の請求項２記載の郵便ポストは、郵便ポスト本体とこの郵便ポスト本体の正面側のフランジ部の上部に投函口、下部にインターホーンや表示板等を設けた前面枠を挿着する郵便ポストにおいて、前面枠の投函口の上部に下方を照射する長尺状のＬＥＤ照明ユニットを装着するとともに前面枠の下端から上方の投函口及びインターホーンや表示板等を照射する長尺状のＬＥＤ照明ユニットを装着することを特徴とするものである。
【０００８】
したがって、投函口の上下がＬＥＤ照明によって、照射されることで、従来のようなまぶしさがなく、投函口の廻りはもちろんインターホーンや表示板等も同時に明るさが確保されものである。
【０００９】
本発明の請求項３記載の郵便ポストは、請求項１又は請求項２記載のＬＥＤ照明ユニットが着脱自在に配置され、上部開口のボックスにＬＥＤ照明を複数個配列し、この電源を電池式又は家庭用の引込み線から取ることを特徴とするものである。
【００１０】
したがって、ＬＥＤ照明ユニットを着脱できるので、メインテナンスが簡単であり、しかもＬＥＤ照明の色を変えることが可能となり、電気代も安くなる。
【００１１】
本発明の請求項４記載の郵便ポストは、請求項１乃至請求項３記載のいずれか１項記載のＬＥＤ照明ユニットに明るさセンサーを取付けたことを特徴とするものである。
【００１２】
したがって、明るさセンサーによって、夕方に点灯させ、朝方に消灯させることで、無駄な電力を消費することもないので、省エネルギー、省コストとなる。
本発明の請求項５記載の郵便ポストは、請求項１又は請求項２記載の前面枠に固着する前面板の材質を乳白色の樹脂で形成することを特徴とするものである。
したがって、ＬＥＤ照明がまぶしくないものである。
【００１３】
【発明の実施の形態】
図１乃至図５に示したように、本発明の一実施形態に係わる郵便ポストであって、以下に説明する。
【００１４】
一実施形態である郵便ポストＡは、金属製製や合成樹脂製の郵便ポスト本体１とこの郵便ポスト本体１の正面側２のフランジ部３に投函口４を有する前面枠５を挿着し、前面枠５の投函口４の上下に相対向して光が照射するように長尺状のＬＥＤ照明ユニット６，６を装着するものである。
【００１５】
このとき、ＬＥＤ照明ユニット６が着脱自在に配置され、上部開口のボックス７にＬＥＤ照明８を複数個配列し、この電源を電池式又は家庭用の引込み線から取るものである。さらに、上記ＬＥＤ照明ユニット６に明るさセンサー９を取付けて、夕方に点灯させ、朝方に消灯させることで、無駄な電力を消費することもないので、省エネルギー、省コストとなる。
【００１６】
そして、他の実施形態である郵便ポストＢは、金属製製や合成樹脂製の郵便ポスト本体１とこの郵便ポスト本体１の正面側２のフランジ部３の上部に投函口４、下部にインターホーン１０や表示板１１等を設けた前面枠５を挿着し、前面枠５の投函口４の上部に下方を照射する長尺状のＬＥＤ照明ユニット６を装着するとともに前面枠５の下端から上方の投函口４及びインターホーン１０や表示板１１等を照射する長尺状のＬＥＤ照明ユニット６を装着するものである。
【００１７】
さらに、前面枠５に固着する前面板１２の材質を乳白色の樹脂で形成することで、ＬＥＤ照明がまぶしくないようにすることができる。
【００１８】
以下、図１乃至図３、図６に基づいて、本発明の一実施例について説明する。又、図４乃至図６に基づいて、本発明の異なる実施例について説明する。
図１は，郵便ポストＡを郵便ポスト本体１、前面枠５、ＬＥＤ照明ユニット６及び前面板１２を示す分解した状態の斜視図、図２は、前面枠５の投函口４の要部拡大断面図、図３は、郵便ポストＡの前面枠５側の縦断面図である。図４は、異なる実施例に係わる郵便ポストＢの正面図、図５は、図４の前面枠５側の縦断面図である。
（実施例１）
【００１９】
図１乃至図３において、郵便ポストＡの郵便ポスト本体１は、鉄、アルミニウム等の金属製やアクリル樹脂、ポリカーボネート等の合成樹脂製でできた箱状に形成され、この箱体の正面側２に開口を形成し、端縁にフランジ部３を形成したものである。このフランジ部３は、金属製なら折り曲げ加工で、合成樹脂製なら一体成形で形成すれば良いものである。前面枠５は、郵便ポスト本体１の正面側２の外縁部に嵌挿するように箱状に形成され、上部に四角形状の投函口４が形成され、下部には、四角形状のアクリル樹脂やポリカーボネネート等でできた乳白色の前面板１２をビスや接着材で固着するための取付部１３が設けられ、この取付部１３に前面板１２が固着される。尚、投函口４には、ばね力によって回動自在の遮蔽板１４が設けられている。さらに、前記前面枠５の投函口４の上下に相対向して光が照射するように長尺状のＬＥＤ照明ユニット６，６が装着されている。このとき、ＬＥＤ照明ユニット６は、上部開口の矩形状のボックス７にＬＥＤ照明８を複数個配列し、このＬＥＤ照明８の電源を電池式又は家庭用の引込み線から取るようにしており、このＬＥＤ照明ユニット６が着脱自在となるものである。
【００２０】
これらの郵便ポスト本体１のフランジ部３にＬＥＤ照明ユニット６が装着された前面枠５を嵌挿し、ビス１５で固着して郵便ポストＡが形成される。
【００２１】
そして、上部のＬＥＤ照明ユニット６の照明は、投函口４の下方に向けて照射し、下部のＬＥＤ照明ユニット６の照明は、投函口４の上方に向けて照射され、略中央部分で光が衝突するようにしている。さらに、前面枠５の下部に配設されたＬＥＤ照明ユニット６の光は、投函口４の下端に前面板１２と同材質のアクリル樹脂やポリカーボネネート等を設けることで光が透過する透過部１６を設けようにすることでまぶしさをより軽減することができる。
【００２２】
尚、投函口４の上下部を拡開するように傾斜面１７に形成しておけば光が前方に反射することができる。このように、光の照射方向が従来のような正面照射から上向きに変えることでまぶしさを軽減することができる。上記ＬＥＤ照明ユニット６は、着脱できるので、ＬＥＤ照明を交換したり、色を変えることが可能となりメインテナンスが簡単となり、しかもＬＥＤ照明の色を変えることで赤、青、黄色等の種々の光をもって、投函口４を照射することができる。また、ＬＥＤ照明を用いることにより、電気代も安くなる。
【００２３】
又、図６のように、ＬＥＤ照明ユニット６に明るさセンサー９を取付けることで、夕方に点灯させ、朝方に消灯させることで、無駄な電力を消費することもないので、省エネルギー、省コストとなるものである。
【００２４】
【発明の効果】
上述の如く、本発明の請求項１記載の郵便ポストは、郵便ポスト本体とこの郵便ポスト本体の正面側のフランジ部に投函口を有する前面枠を挿着する郵便ポストにおいて、前面枠の投函口の上下に相対向して光が照射するように長尺状のＬＥＤ照明ユニットを装着しているので、投函口の上下がＬＥＤ照明によって、照射されることで、従来のようなまぶしさがなく、投函口の廻りの明るさが確保されものである。
【００２５】
本発明の請求項２記載の郵便ポストは、郵便ポスト本体とこの郵便ポスト本体の正面側のフランジ部の上部に投函口、下部にインターホーンや表示板等を設けた前面枠を挿着する郵便ポストにおいて、前面枠の投函口の上部に下方を照射する長尺状のＬＥＤ照明ユニットを装着するとともに前面枠の下端から上方の投函口及びインターホーンや表示板等を照射する長尺状のＬＥＤ照明ユニットを装着しているので、投函口の上下がＬＥＤ照明によって、照射されることで、従来のようなまぶしさがなく、投函口の廻りはもちろんインターホーンや表示板等も同時に明るさが確保されものである。
【００２６】
本発明の請求項３記載の郵便ポストは、ＬＥＤ照明ユニットが着脱自在に配置され、上部開口のボックスにＬＥＤ照明を複数個配列し、この電源を電池式又は家庭用の引込み線から取るようにしているので、ＬＥＤ照明ユニットを着脱できるので、メインテナンスが簡単であり、しかもＬＥＤ照明の色を変えることが可能となり幻想的な色を演出することができ、電気代も安くなる。又、工事も簡単である。
【００２７】
本発明の請求項４記載の郵便ポストは、ＬＥＤ照明ユニットに明るさセンサーを取付けているので、明るさセンサーによって、夕方に点灯させ、朝方に消灯させることで、無駄な電力を消費することもないので、省エネルギー、省コストとなる
【００２８】
本発明の請求項５記載の郵便ポストは、前面枠に固着する前面板の材質を乳白色の樹脂で形成しているので、ＬＥＤ照明がまぶしくないものである。
【図面の簡単な説明】
【０００１】
【図１】本発明の一実施例に係わる郵便ポスト本体、前面枠、ＬＥＤ照明ユニット及び前面板を示す分解した状態の斜視図である。
【図２】本発明の一実施例に係わる前面枠の投函口の要部拡大断面図である。
【図３】本発明の一実施例に係わる前面枠側の縦断面図である。
【図４】本発明の異なる実施例に係わる郵便ポストの正面図である。
【図５】本発明の異なる実施例に係わる図４の前面枠側の縦断面図である。
【図６】本発明のＬＥＤ照明ユニットに明るさセンサーを取付けた状態を示す斜視図である。
【図７】従来の郵便受箱を示す概略の縦断面図である。
【図８】従来の郵便受箱を示す郵便ポスト本体、前面枠及び前面板を示す分解した状態の斜視図である。
【符号の説明】
Ａ　　　郵便ポスト
Ｂ　　　郵便ポスト
１　　　郵便ポスト本体
２　　　正面側
３　　　フランジ部
４　　　投函口
５　　　前面枠
６　　　ＬＥＤ照明ユニット
７　　　ボックス
８　　　ＬＥＤ照明
９　　　明るさセンサー
１０　　インターホーン
１１　　表示板
１２　　前面板
１３　　取付部
１４　　遮蔽板
１５　　ビス
１６　　透過部
１７　　傾斜面
【図１】
2004049587.tif 000003
【図２】
2004049587.tif 000004
【図３】
2004049587.tif 000005
【図４】
2004049587.tif 000006
【図５】
2004049587.tif 000007
【図６】
2004049587.tif 000008
【図７】
2004049587.tif 000009
【図８】
2004049587.tif 000010